(57)【特許請求の範囲】
【請求項１】
金属製のセパレータプレートの端部にガスケットを一体化してなる燃料電池用セルシールであって、
前記セパレータプレートの端部に、その先端がセパレータプレートの一面に対して俯角をもつような折り返し部を設けて前記セパレータプレートの端部を立体構造とし、
前記立体構造とした折り返し部を含むセパレータプレートの端部を覆うように前記ガスケットを非接着にて一体成形する際に、前記折り返し部の内側の空間部にも、前記ガスケットとなる材料を充填したことを特徴とする燃料電池用セルシール。
【請求項２】
請求項１の燃料電池用セルシールにおいて、
セパレータプレートの端部は、前記セパレータプレートの一面側へ折り曲げられることにより折り返し部を形成していることを特徴とする燃料電池用セルシール。
【請求項３】
請求項１の燃料電池用セルシールにおいて、
セパレータプレートの端部は、一旦前記セパレータプレートの他面側へ折り曲げられてから前記セパレータプレートの一面側へ折り曲げられることにより折り返し部を形成していることを特徴とする燃料電池用セルシール。
【請求項４】
請求項１の燃料電池用セルシールにおいて、
ガスケットは、セパレータプレートの端部が折り曲げられるのと同じセパレータプレートの一面側にシールリップを有することを特徴とする燃料電池用セルシール。
【請求項５】
請求項１の燃料電池用セルシールにおいて、
ガスケットは、セパレータプレートの端部が折り曲げられるのと同じセパレータプレートの一面側にシールリップを有し、前記セパレータプレートの他面側にもシールリップを有することを特徴とする燃料電池用セルシール。
【請求項６】
請求項１ないし５の何れかに記載した燃料電池用セルシールにおいて、
ガスケットは、シールリップとともに、セパレータプレートの一面側に重ねられる一面側平面部、折り返し部を被覆する折り返し被覆部、および前記セパレータプレートの他面側に重ねられる他面側平面部を一体に有し、
前記一面側平面部と他面側平面部は、前記セパレータプレートに設けた貫通穴を介して一体に連結されていることを特徴とする燃料電池用セルシール。
【請求項７】
金属製のセパレータプレートの端部にガスケットを一体化してなる燃料電池用セルシールの製造方法であって、
前記セパレータプレートの端部に、その先端がセパレータプレートの一面に対して俯角をもつような折り返し部を設けて前記セパレータプレートの端部を立体構造とする工程と、
前記立体構造とした折り返し部を含むセパレータプレートの端部を覆うように前記ガスケットを非接着にて一体成形する工程とを有し、
前記ガスケットを非接着にて一体成形する工程において、前記折り返し部の内側の空間部にも、前記ガスケットとなる材料を充填することを特徴とする燃料電池用セルシールの製造方法。
【請求項８】
請求項１ないし６の何れかに記載したセルシールを有する燃料電池。
【発明の詳細な説明】
【技術分野】
【０００１】
本発明は、燃料電池に係り、更に詳しくは、金属製のセパレータプレートの端部に弾性材料よりなるガスケットを一体化してなる燃料電池用セルシールに関するものである。
【背景技術】
【０００２】
燃料電池における金属セパレータプレートの表面には、防錆や接触抵抗の低減を目的として金メッキ等の表面処理が施されていることから、その表面状態は極めて安定したものとされている。したがって、この金属セパレータプレートに弾性材料よりなるガスケットを一体成形する場合、接着剤を用いて固定することは困難とされている。
【０００３】
また、従来、金属セパレータプレートにガスケットを非接着にて一体化する構造として、図８（Ａ）に示すように、金属セパレータプレート５１の端部に所要数の貫通穴５２を設けて金属セパレータプレート５１の両面５１ａ，５１ｂにガスケット５３を一体成形する構造や、図８（Ｂ）に示すように、金属セパレータプレート５１の端部全体をガスケット５３で被覆する構造が確立されている。
【０００４】
しかしながら、前者の貫通穴５２を設ける場合には、貫通穴５２の開口面積や形成数によりガスケット５３の固定力が決定されることから、いきおい穴径を大きくしたり形成数を増やしたりしがちであり、よって穴径の拡大によるデッドスペースの増加や、形成数の増加による錆やカエリ等の不具合発生率の増加が懸念される。
【０００５】
また、後者のプレート５１端部全体を被覆する場合には、プレート５１端部の処理状況如何によっては、プレート５１端部に金属プレート特有のカエリ等の尖鋭部（シャープエッジ）５４が形成されてこれが弾性材料の内側に埋設されることから、この尖鋭部５４を起点としてガスケット５３に亀裂が発生する懸念がある。
【０００６】
また、一方、金属セパレータプレート５１自体は、金属の特性を活かしてその薄肉化（０．１ｍｍレベル）が進められており、よってプレス加工等にて立体構造としない限り平面のままでは、プレス（打ち抜き）後の反りによる変形の発生が懸念される（特許文献１参照）。
【０００７】
【特許文献１】特開２０００−１３８０６５号公報
【発明の開示】
【発明が解決しようとする課題】
【０００８】
本発明は以上の点に鑑みて、金属セパレータプレートに反りによる変形が発生するのを抑えることができ、併せて金属セパレータプレートの端部にカエリ等の尖鋭部が形成されてこれを起点としてガスケットに亀裂が発生するのを抑えることができる燃料電池用セルシールを提供することを目的とする。
【課題を解決するための手段】
【０００９】
上記目的を達成するため、本発明の請求項１による燃料電池用セルシールは、金属製のセパレータプレートの端部にガスケットを一体化してなる燃料電池用セルシールであって、前記セパレータプレートの端部に、その先端がセパレータプレートの一面に対して俯角をもつような折り返し部を設けて前記セパレータプレートの端部を立体構造とし、前記立体構造とした折り返し部を含むセパレータプレートの端部を覆うように前記ガスケットを非接着にて一体成形する際に、前記折り返し部の内側の空間部にも、前記ガスケットとなる材料を充填したことを特徴とするものである。
【００１０】
また、本発明の請求項２による燃料電池用セルシールは、上記した請求項１の燃料電池用セルシールにおいて、セパレータプレートの端部は、前記セパレータプレートの一面側へ折り曲げられることにより折り返し部を形成していることを特徴とするものである。
【００１１】
また、本発明の請求項３による燃料電池用セルシールは、上記した請求項１の燃料電池用セルシールにおいて、セパレータプレートの端部は、一旦前記セパレータプレートの他面側へ折り曲げられてから前記セパレータプレートの一面側へ折り曲げられることにより折り返し部を形成していることを特徴とするものである。
【００１２】
また、本発明の請求項４による燃料電池用セルシールは、上記した請求項１の燃料電池用セルシールにおいて、ガスケットは、セパレータプレートの端部が折り曲げられるのと同じセパレータプレートの一面側にシールリップを有することを特徴とするものである。
【００１３】
また、本発明の請求項５による燃料電池用セルシールは、上記した請求項１の燃料電池用セルシールにおいて、ガスケットは、セパレータプレートの端部が折り曲げられるのと同じセパレータプレートの一面側にシールリップを有し、前記セパレータプレートの他面側にもシールリップを有することを特徴とするものである。
【００１４】
また、本発明の請求項６による燃料電池用セルシールは、上記した請求項１ないし５の何れかに記載した燃料電池用セルシールにおいて、ガスケットは、シールリップとともに、セパレータプレートの一面側に重ねられる一面側平面部、折り返し部を被覆する折り返し被覆部、および前記セパレータプレートの他面側に重ねられる他面側平面部を一体に有し、前記一面側平面部と他面側平面部は、前記セパレータプレートに設けた貫通穴を介して一体に連結されていることを特徴とするものである。
【００１５】
また、本発明の請求項７による燃料電池用セルシールの製造方法は、金属製のセパレータプレートの端部にガスケットを一体化してなる燃料電池用セルシールの製造方法であって、前記セパレータプレートの端部に、その先端がセパレータプレートの一面に対して俯角をもつような折り返し部を設けて前記セパレータプレートの端部を立体構造とする工程と、前記立体構造とした折り返し部を含むセパレータプレートの端部を覆うように前記ガスケットを非接着にて一体成形する工程とを有し、前記ガスケットを非接着にて一体成形する工程において、前記折り返し部の内側の空間部にも、前記ガスケットとなる材料を充填することを特徴とするものである。
【００１６】
更にまた、本発明の請求項８による燃料電池は、請求項１ないし６の何れかに記載したセルシールを有するものである。
【００１７】
上記構成を有する本発明の請求項１によるセルシールにおいては、金属セパレータプレートの端部に折り返し部が設けられてセパレータプレートの端部が立体構造とされているために、この折り返し部および立体構造の形成によってセパレータプレートを補強することが可能となる。また、セパレータプレートの端部に金属プレート特有のカエリ等の尖鋭部が形成されても、この尖鋭部は折り返し部の内側に配置されることから、ガスケット弾性材料に直接突き当てられることがない。また、上記折り返し部および立体構造が抜け止めのアンカーとして機能することから、セパレータプレートに対するガスケットの抜け止め作用が発揮される。
【００１８】
尚、上記したように金属セパレータプレートの端部に折り返し部を設けてセパレータプレートの端部を立体構造とするには、請求項２に記載したように、セパレータプレートの端部をセパレータプレートの一面側へ折り曲げるか、あるいは請求項３に記載したように、セパレータプレートの端部を一旦セパレータプレートの他面側へ折り曲げてから一面側へ折り曲げるかするのが好適であって、いずれの場合も、折り返し部における厚さ寸法はセパレータプレート本来の厚さ寸法よりも大きく設定され、立体構造が実現される。
【００１９】
また、このように金属セパレータプレートの端部に折り返し部を設けてセパレータプレートの端部を立体構造とすると、セパレータプレートの最大厚さ寸法が増大して燃料電池セルがその積層方向に大型化することが懸念されるが、請求項４に記載したように、セパレータプレートの端部が折り曲げられるのと同じセパレータプレートの一面側にシールリップを設定すると、このシールリップの高さ寸法の範囲内に折り返し部の高さ寸法が収められることから、製品は実質的に厚肉化されることがない。また、厚さの増大を許容可能な場合は、請求項５に記載したように、セパレータプレートの一面側および他面側にそれぞれシールリップを設けても良く、このようにセパレータプレートの両面にシールリップを設けると、ガスケットによるシール性能を増大させることが可能となる。
【００２０】
また、請求項６に記載したように、ガスケットがシールリップとともに、セパレータプレートの一面側に重ねられる一面側平面部と、折り返し部を被覆する折り返し被覆部と、セパレータプレートの他面側に重ねられる他面側平面部とを一体に有して、一面側平面部と他面側平面部とが、セパレータプレートに設けた貫通穴を介して一体に連結されると、セパレータプレートに対するガスケットの固定力を一層増大させることも可能となる。
【００２１】
上記請求項１に係るシール構造は、請求項７に記載したように、セパレータプレートの端部に折り返し部を設けてこのセパレータプレートの端部を立体構造とする工程と、この立体構造とした折り返し部を含むセパレータプレートの端部にガスケットを非接着にて一体成形する工程とを順次実施することにより容易に実現可能である。
【００２２】
更にまた、本発明の上記構造は、燃料電池をカテゴリーとしても実現可能であることから、本願では請求項８を記載作成してこの点を確認することにした。
【発明の効果】
【００２３】
本発明は、以下の効果を奏する。
【００２４】
すなわち、本発明の請求項１、２または３による燃料電池用セルシールにおいては、金属セパレータプレートの端部に折り返し部が設けられてセパレータプレートの端部が立体構造とされているために、この折り返し部および立体構造の形成によって、セパレータプレートに対する補強作用が発揮される。したがってこの補強作用により、薄肉状の金属セパレータプレートに反りによる変形が発生するのを有効に抑えることができる。
【００２５】
また、上記したように金属セパレータプレートの端部に折り返し部が設けられてセパレータプレートの端部が立体構造とされると、セパレータプレートの端部に金属プレート特有のカエリ等の尖鋭部が形成されても、この尖鋭部は折り返し部の内側に配置され、よってガスケットの弾性材料に直接突き当てられることがない。したがって、この尖鋭部を起点としてガスケットに亀裂が発生するのを未然に防止することができる。
【００２６】
また、上記したように金属セパレータプレートの端部に折り返し部が設けられてセパレータプレートの端部が立体構造とされるとともに折り返し部の内側に空間部が形成されてガスケットとなる材料の一部がこの空間部に充填されると、この折り返し部および立体構造を抜け止めのアンカーとしてガスケットの抜け止め作用が発揮される。したがって、ガスケットがセパレータプレートに対し非接着のまま固定されても、ガスケットをセパレータプレートに対して強固に固定することができる。
【００２７】
またこれに加えて、本発明の請求項４によるセルシールにおいては、セパレータプレートの端部が折り曲げられるのと同じセパレータプレートの一面側にシールリップが設けられているために、シールリップの高さ寸法の範囲内に折り返し部の高さ寸法を収めることが可能とされている。したがって、セパレータプレートの端部に折り返し部を設けてセパレータプレートの端部を立体構造としても、セパレータ製品は実質的に厚肉化されることがない。
【００２８】
また、本発明の請求項５による燃料電池用セルシールにおいては、両面シールリップによる両面シールが構成されることからシール性能を増大させることができ、また請求項６による燃料電池用セルシールにおいては、ガスケットにおける一面側平面部と他面側平面部がセパレータプレートに設けた貫通穴を介して一体に連結されることから、セパレータプレートに対するガスケットの固定力を一層増大させることができる。
【００２９】
更にまた、請求項７による製造方法によれば、請求項１に係るシール構造を容易に実現することができ、請求項８によれば、本発明の上記作用効果を燃料電池のカテゴリーにおいても獲得することができる。
【発明を実施するための最良の形態】
【００３０】
尚、本発明には、以下の実施形態が含まれる。
【００３１】
（１）  金属セパレータプレートの端部に折り返し構造を入れることで、プレートの変形を抑制するとともに、その折り返し部を含めてガスケットを一体成形することで、折り返し部の中までゴム材料を回し、ガスケットを固定する機能を持たせる。また、金属セパレータプレートの端部（外周部、マニホールド部）を折り返すことにより、セパレータプレートの変形を防止するとともに、その折り返し部を含めてガスケットを一体成形することにより、非接着でセルシールを固定する。これにより、接着の難しい金メッキ等の表面処理を気にすることなく、非接着にてセルシールの一体化が可能となる。
【００３２】
（２）  また、金属セパレータプレートへのセルシールの固定をより安定させるために、貫通穴を併用することも有効である。
【００３３】
（３）  金属セパレータプレートの材質は特に限定されないが、好ましくはステンレスまたはチタン等が挙げられ、プレス等の工法にて端部に円状または角状の折り返しを構成することで、プレート自体の変形防止効果が得られる。
【００３４】
（４）  ガスケット（セルシール）の材料としては、特に制約はなく、ミラブルタイプから液状ゴムまで製品の仕様に合わせて選定することができるが、折り返し部にゴムを回すことを考えると、液状ゴム（液状フッ素ゴム、液状シリコーンゴム、液状ＥＰＤＭ）が好ましい。
【００３５】
（５）  上記（１）ないし（４）の構成によれば、プレートの端部を折り返す構成とすることでプレートの変形を抑えるとともに、カエリ等のシャープエッジによるシール裂け不良の起点を無くすことができる。また、金属セパレータプレートの表面処理状態にかかわらず非接着で一体成形が可能となり、接着等の工数削減が可能となる（アンカー効果）。また、射出成形可能な材料であればミラブルタイプ（普通成形用）から液状ゴムまで様々なゴム材料が使用可能であり、ガス透過性や耐酸性等の必要に応じたゴム材料の選定が可能となる。
【実施例】
【００３６】
つぎに本発明の実施例を図面にしたがって説明する。
【００３７】
第一実施例・・・
図１（Ａ）は、本発明の第一実施例に係る燃料電池用セルシール１の要部断面を示しており、このセルシール１は、金属製のセパレータプレート２と、これに一体化されたゴム状弾性体製のガスケット３とを有している。
【００３８】
金属セパレータプレート２は、所定の厚さを有するステンレスまたはチタン等の薄肉状の金属プレートよりなり、このセパレータプレート２の端部２ａがその最先端部２ｂにおいてプレス加工等によってセパレータプレート２の一面（図では上面）２ｃ側へ折り曲げられることにより折り返し部２ｅが形成され、端部２ａがその最先端部２ｂにおいて立体構造とされている。折り返し部２ｅは、その断面形状において約２７０度の角度範囲に亙って円形を呈するように折り返されており、その先端面２ｆをセパレータプレート２の一面２ｃに対して略平行に向けている。先端面２ｆと一面２ｃとの間には間隙部２ｇが形成され、この間隙部２ｇは折り返し部２ｅ内部の空間部２ｈに繋がっている。また、この折り返し部２ｅはその形成箇所として、セパレータプレート２の外周縁部や、セパレータプレート２の平面内に設けたマニホールド穴の開口周縁部等に設けられる。
【００３９】
一方、ガスケット３は、液状フッ素ゴム、液状シリコーンゴムまたは液状ＥＰＤＭ等の液状ゴムの硬化物よりなり、折り返し部２ｅを含むセパレータプレート２の端部２ａに非接着にて一体成形されている。また、このガスケット３は、セパレータプレート２の一面２ｃに非接着にて重ね合わされる一面側平面部（一面側被覆部）３ａと、折り返し部２ｅを非接着にて被覆する折り返し被覆部３ｂと、セパレータプレート２の他面２ｄに非接着にて重ね合わされる他面側平面部（他面側被覆部）３ｃとを一体に有し、更に折り返し部２ｅが折り返されるのと同じセパレータプレート２の一面２ｃ側にシールリップ３ｄを一体に有している。シールリップ３ｄは、図示するように断面山形ないし三角形状を呈し、一面側平面部３ａを一部隆起させるようにして形成されている。
【００４０】
セパレータプレート２の一面２ｃからの折り返し部２ｅの高さ寸法ｈ１は、シールリップ３ｄの高さ寸法ｈ２よりも小さく設定され、かつ一面側平面部３ａの高さ寸法ｈ３よりも大きく設定されている（ｈ２＞ｈ１＞ｈ３）。セパレータプレート２の一面２ｃからの折り返し被覆部３ｂの高さ寸法ｈ４はこれも同様に、シールリップ３ｄの高さ寸法ｈ２よりも小さく設定され、かつ一面側平面部３ａの高さ寸法ｈ３よりも大きく設定されている（ｈ２＞ｈ４＞ｈ３）。また、折り返し被覆部３ｂにおけるガスケット３の厚さ寸法ｄ１は、シールリップ３ｄにおけるガスケット３の厚さ寸法ｄ２よりも小さく設定され、かつ一面側平面部３ａにおけるガスケット３の厚さ寸法ｄ３よりも大きく設定されている（ｄ２＞ｄ１＞ｄ３）。
【００４１】
また、上記構成のセルシール１の製作手順としては、先ずプレス装置等を用いて金属セパレータプレート２を単独で成形し、次いでこれをゴム成形用の金型に挿入してガスケット３を射出成形し、成形と同時に両者２，３を一体化する。断面円形に折り返される折り返し部２ｅの内側には空間部２ｈが形成されるが、この空間部２ｈにも間隙部２ｇを介してゴム材料を充填することが望ましい。
【００４２】
上記構成のセルシール１においては、金属セパレータプレート２の端部２ａにおける最先端部２ｂがセパレータプレート２の一面２ｃ側へ断面円形をなすように折り返されて折り返し部２ｅが形成されているために、これによりセパレータプレート２が立体化されてセパレータプレート２が十分に保形されている。したがって、セパレータプレート２に反りによる変形が発生するのを抑えることができる。反りによる変形を最大限抑えるには、折り返し部２ｅを全周に亙って形成するのが好ましい。
【００４３】
また、上記構成によると、金属セパレータプレート２の端部２ａに尖鋭部が形成されないことから、この尖鋭部を起点とするゴム裂け不良が発生するのを抑えることができる。折り返し部２ｅはその先端が新たな尖鋭部とならないよう、図示するようにセパレータプレート２の一面２ｃの方へ向けるか、あるいは少なくとも一面２ｃに対して俯角を設定するのが好ましい。
【００４４】
また、上記折り返し部２ｅおよび立体構造をアンカーとするセパレータプレート２に対するガスケット３の抜け止め作用が発揮されることから、ガスケット３を非接着にてセパレータプレート２に一体化することができ、爾後的にガスケット３がセパレータプレート２から脱落するのを有効に抑えることができる。
【００４５】
更にまた、金属セパレータプレート２の折り返し部２ｅが折り返されるのと同じセパレータプレート２の一面２ｃ側にシールリップ３ｄが設けられていることから、シールリップ３ｄの高さ寸法ｈ２の範囲内に折り返し部２ｅの高さ寸法ｈ１を収めることが可能とされている。したがって、セパレータプレート２の端部２ａに折り返し部２ｅを形成しても、製品全体が厚肉化するのを抑えることができる。
【００４６】
尚、上記構成のセルシール１は、本発明の目的を実現可能な範疇にてその構成を種々変更することが可能であり、その構成は例えば以下のようなものであっても良い。
【００４７】
上記第一実施例では、セパレータプレート２の折り返し部２ｅは断面円形状に形成されているが、その断面形状は特に限定されるものではない。
【００４８】
第二実施例・・・
例えば、図２（Ａ）に示す例では、折り返し部２ｅは断面角形状に形成されており、一層詳細には、セパレータプレート２の端部２ａの最先端部２ｂに一面２ｃ側（図では上方）へ向けて垂直な立ち上がり部２ｉが一体成形され、この立ち上がり部２ｉの先端に平面反対方向へ向けて平面部２ｊが一体成形され、この平面部２ｊの先端に他面２ｄ側（図では下方）へ向けて垂直な先端屈曲部２ｋが一体成形され、これら一連の各部位２ｉ，２ｊ，２ｋによって、断面四角形状を呈する折り返し部２ｅが形成されている。但し、その四角の外面角部はそれぞれ新たな尖鋭部とならないように丸み（アール）を付けることにする。
【００４９】
第三実施例・・・
図３（Ａ）の例では、折り返し部２ｅは断面略Ｕ字状に形成されており、一層詳細には、セパレータプレート２の端部２ａの最先端部２ｂに一面２ｃ側（図では上方）へ向けて断面円弧（半円）形状の反転部２ｍが一体成形され、この反転部２ｍの先端に平面反対方向へ向けて平面部２ｊが一体成形され、これら一連の各部位２ｍ，２ｊによって、断面Ｕ字状を呈する折り返し部２ｅが形成されている。
【００５０】
また、上記第一ないし第三実施例においては、セパレータプレート２の端部２ａがセパレータプレート２の一面２ｃ側（図では上方）へ折り曲げられることのみにより折り返し部２ｅが形成されているが、セパレータプレート２の端部２ａは一旦セパレータプレート２の他面２ｄ側（図では下方）へ折り曲げられてからセパレータプレート２の一面２ｃ側（図では上方）へ折り曲げられることにより折り返し部２ｅを形成しても良く、これによりセパレータプレート２の両面２ｃ，２ｄ側へ突出する立体構造が形成される。
【００５１】
第四実施例・・・
例えば、図４（Ａ）に示す例では、折り返し部２ｅは、セパレータプレート２の端部２ａの最先端部２ｂが一旦他面２ｄ側（図では下方）へ斜めに折り曲げられてから一面２ｃ側へ向けて断面円形を呈するように折り返されており、これら一連の各部位によって、セパレータプレート２の両面２ｃ，２ｄに突出する断面円形状の立体構造が形成されている。またこのような立体構造により、ガスケット３の折り返し被覆部３ｂは、セパレータプレート２の一面２ｃ側において一面側平面部３ａよりも厚さ方向（図では上方）に突出するのみならず、セパレータプレート２の他面２ｄ側においても他面側平面部３ｃよりも厚さ方向（図では下方）に突出する構造とされている。
【００５２】
第五実施例・・・
図５（Ａ）の例では、折り返し部２ｅは、セパレータプレート２の端部２ａの最先端部２ｂが一旦他面２ｄ側（図では下方）へ斜め４５度ほどに折り曲げられて第一斜面部２ｎが形成され、この第一斜面部２ｎの先端に一面２ｃ側（図では上方）へ９０度ほど折り曲げられた第二斜面部２ｏが一体成形され、この第二斜面部２ｏの先端に同じく一面２ｃ側へ９０度ほど折り曲げられた第三斜面部２ｐが一体成形され、この第三斜面部２ｐの先端に他面２ｄ側へ９０度ほど折り曲げられた第四斜面部（先端屈曲部）２ｑが一体成形され、これら一連の各部位２ｎ，２ｏ，２ｐ，２ｑによって、セパレータプレート２の両面２ｃ，２ｄに突出する断面四角形状の立体構造が形成されている。またこのような立体構造により、ガスケット３の折り返し被覆部３ｂは、セパレータプレート２の一面２ｃ側において一面側平面部３ａよりも厚さ方向（図では上方）に突出するのみならず、セパレータプレート２の他面２ｄ側においても他面側平面部３ｃよりも厚さ方向（図では下方）に突出する構造とされている。
【００５３】
第六実施例・・・
図６（Ａ）の例では、折り返し部２ｅは、セパレータプレート２の端部２ａの最先端部２ｂが一旦他面２ｄ側（図では下方）に斜めに折り曲げられて斜面部２ｎが形成され、この斜面部２ｎの先端に水平方向に延びる第一平面部２ｒが一体成形され、この第一平面部２ｒの先端に一面２ｃ側へ折り曲げられた断面円弧（半円）状の反転部２ｍが一体成形され、この反転部２ｍの先端に水平方向に延びる代に平面部２ｊが一体成形され、これら一連の各部位２ｎ，２ｒ，２ｍ，２ｊによって、セパレータプレート２の両面２ｃ，２ｄに突出する断面Ｕ字状の立体構造が形成されている。またこのような立体構造により、ガスケット３の折り返し被覆部３ｂは、セパレータプレート２の一面２ｃ側において一面側平面部３ａよりも厚さ方向（図では上方）に突出するのみならず、セパレータプレート２の他面２ｄ側においても他面側平面部３ｃよりも厚さ方向（図では下方）に突出する構造とされている。
【００５４】
第七実施例・・・
また、図７（Ａ）に示すように、ガスケット３の平面内において金属セパレータプレート２の端部２ａに所要数の貫通穴２ｓを形成し、この貫通穴２ｓを介してガスケット３の一面側平面部３ａと他面側平面部３ｃとを連結するようにしても良く、このように両平面部３ａ，３ｃを直接連結すると、セパレータプレート２に対するガスケット３の固定力を一層増大させることができる。
【００５５】
他の実施例・・・
更にまた、各図（Ｂ）に示すように、セパレータプレート２の一面２ｃ側のみならず他面２ｄ側にもシールリップ３ｅを設けるようにしても良く、このようにセパレータプレート２の両面２ｃ，２ｄにシールリップ３ｄ，３ｅを設けると、シールリップ３ｅの追加に伴ってガスケット３のシール性能を一層増大させることができる。
【図面の簡単な説明】
【００５６】
【図１】（Ａ）は本発明の第一実施例に係る燃料電池用セルシールの要部断面図、（Ｂ）は本発明の他の実施例に係る燃料電池用セルシールの要部断面図
【図２】（Ａ）は本発明の第二実施例に係る燃料電池用セルシールの要部断面図、（Ｂ）は本発明の他の実施例に係る燃料電池用セルシールの要部断面図
【図３】（Ａ）は本発明の第三実施例に係る燃料電池用セルシールの要部断面図、（Ｂ）は本発明の他の実施例に係る燃料電池用セルシールの要部断面図
【図４】（Ａ）は本発明の第四実施例に係る燃料電池用セルシールの要部断面図、（Ｂ）は本発明の他の実施例に係る燃料電池用セルシールの要部断面図
【図５】（Ａ）は本発明の第五実施例に係る燃料電池用セルシールの要部断面図、（Ｂ）は本発明の他の実施例に係る燃料電池用セルシールの要部断面図
【図６】（Ａ）は本発明の第六実施例に係る燃料電池用セルシールの要部断面図、（Ｂ）は本発明の他の実施例に係る燃料電池用セルシールの要部断面図
【図７】（Ａ）は本発明の第七実施例に係る燃料電池用セルシールの要部断面図、（Ｂ）は本発明の他の実施例に係る燃料電池用セルシールの要部断面図
【図８】（Ａ）は従来例に係る燃料電池用セルシールの要部断面図、（Ｂ）は他の従来例に係る燃料電池用セルシールの要部断面図
【符号の説明】
【００５７】
１  燃料電池用セルシール
２  セパレータプレート
２ａ  端部
２ｂ  最先端部
２ｃ  一面
２ｄ  他面
２ｅ  折り返し部
２ｆ  先端面
２ｇ  間隙部
２ｈ  空間部
２ｉ  立ち上がり部
２ｊ，２ｒ  平面部
２ｋ  先端屈曲部
２ｍ  反転部
２ｎ，２ｏ，２ｐ，２ｑ  斜面部
２ｓ  貫通穴
３  ガスケット
３ａ  一面側平面部
３ｂ  折り返し被覆部
３ｃ  他面側平面部
３ｄ，３ｅ  シールリップ
【図１】
0005209846.tif 000002
【図２】
0005209846.tif 000003
【図３】
0005209846.tif 000004
【図４】
0005209846.tif 000005
【図５】
0005209846.tif 000006
【図６】
0005209846.tif 000007
【図７】
0005209846.tif 000008
【図８】
0005209846.tif 000009